(57)【要約】【課題】  遊技機には、ガラス窓や枠体の開閉状態を監視するセンサが設けられているが、そのセンサは、動作不良に細工されると監視システムがダウンしてしまうし、ガラス窓や枠体がわずかに開かれた状態では、センサで検知不可能であるため、わずかに開いた隙間から針金や薄板を差し込んで行う不正行為を許してしまう。【解決手段】  解錠装置２に電動式を採用し、その解錠装置２の解錠動作とほぼ同時に解錠ランプ５を点灯させることによってセンサを不要とし、解錠装置２と解錠ランプ５の点灯とを連動させる。【選択図】    図１
2006006405.tif 000002
【特許請求の範囲】
【請求項１】
解錠装置に電動式を採用し、解錠動作指令を発すると解錠動作とほぼ同時に解錠ランプを作動させることを特徴とする遊技機。
【請求項２】
解錠指令の操作は、各台毎に設けた解錠用のスイッチを直接操作して実行する請求項１に記載の遊技機。
【請求項３】
解錠指令の操作は、手持ちのリモコンから無線信号を発射して遠隔操作で実行する請求項１に記載の遊技機。
【請求項４】
解錠ランプの作動が点滅表示である請求項１〜３のいずれかに記載の遊技機。
【発明の詳細な説明】
【技術分野】
【０００１】
本発明は、スロットマシン、パチンコ機、パチスロ機といったホールに設置される遊技機に関する。
【背景技術】
【０００２】
遊技機は、盤面を覆っているガラス窓や、盤面の周りを囲んでいる枠体がヒンジによって片開き可能に取り付けられており、前面より前記ガラス窓や枠体を開いて盤の表面や裏側のメカニズムを調整可能な構造になっている。
そしてそれらガラス窓や枠体は施錠装置によってロックされており、必要に応じて解錠装置を操作して、ロックを解除するようになっている。
又ホールでは、特許文献１に記載のように、各遊技機にガラス窓や枠体が開かれたことをチェックするためのセンサが装備されており、解錠装置が不正に操作されていないかを監視する体勢も採られている。
ガラス窓や枠体は、閉じて強く押し込むと、係止爪が一旦バネ力に抗して押し戻されてから係止状態になり、ロックが解除されるとバネ力によってガラス窓や枠体はわずかにせり出す特性を持っていて、前記センサには機械的なリミットスイッチが用いられている。
【０００３】
【特許文献１】特開２００３−１３５７８６号公報
【発明の開示】
【発明が解決しようとする課題】
【０００４】
ガラス窓や枠体は、ロックが解除されても数ミリ開いた遊びの範囲内でそれ以上開かないように押さえてしまえば、リミットスイッチが動作しない。
それでなくとも、ロック状態において、基台と枠体或いは枠体とガラス窓の間に僅かな隙間さえあれば、薄板や針金などを差し込んでセンサを無効にしたり、制御盤の電子回路を細工される可能性があり、事実そのような被害報告も耳にする。
センサは、細工されにくい場所に取り付けることができるし、施錠機構の部材の動作から開く寸前の状態を検知させることも可能であるが、手動式の解錠装置は、キーをロックが外れる手応えを感ずるまで回し切ってこそ解錠操作されたといえるのであって、ロックが外れるまで回し切っていない中途半端な動作を検知して解錠ランプが点灯してしまうと、それを見て解錠されたと勘違いし、解錠操作を中断させてしまうことにもなる。
そのためセンサは、敢えてガラス窓や枠体が実際に開いたことを検知させるようになっている。
それに対して電動式は、正しい解錠信号が発信されれば、確実に解錠動作するので、解錠動作にミスはない。
【課題を解決するための手段】
【０００５】
本発明の遊技機は、解錠装置に電動式を採用し、解錠動作指令を発すると同時に解錠装置の解錠動作とほぼ同時に解錠ランプを動作させることを特徴とする。
解錠指令の操作は、各台毎に設けたスイッチを直接操作したり、手持ちのリモコンから無線信号を発射して遠隔操作したりできる。
又、前記解錠ランプの作動は、点滅表示させることが望ましい。
【発明の効果】
【０００６】
解錠装置の解錠動作と解錠ランプの点灯或いは点滅動作とは、いずれも解錠動作指令に基づいて実行されるので、解錠動作と解錠ランプの動作とがミスマッチすることはない。
各台毎に設けられたスイッチを直接操作することによって解錠指令の操作をするようにすれば、解錠操作したことを監視カメラでチェックできるし、リモコンから無線信号を発射して遠隔操作できるようにすれば、係員の負担が軽減される。
又、解錠ランプの動作を点滅にすれば目立ちやすくなるので、不正な解錠操作があった場合には迅速に対応することができる。
更に、既存の遊技機は、ロック状態でも、リミットスイッチの遊びを考慮し、ガラス窓、枠体、基枠の各相互間には敢えて隙間を設けているケースもあるが、隙間を完全に無くすことが可能となる。
【発明を実施するための最良の形態】
【０００７】
本発明に係る遊技機について、その一実施例を図面に基づいて説明する。
図１において、１は遊技機としてのパチスロ機であり、ガラス窓や枠体は、基枠に対して片開き可能になっており、標準装備されている手動式の解錠装置は、電動式の解錠装置と交換され、前記ガラス窓や枠体のロックはリモコン操作で解除可能となっている。
遊技機１の側縁部１ａには、前記電動式の解錠装置２が組み付けられていて、その解錠装置２は、標準装備されていた通称シリンダキーと同型で、鍵穴に相当する部分には受信部が設けられている。
３は、解錠スイッチを備え、遊技機１の上部に組み付けられている呼び出しランプユニット４の操作も可能なリモコンである。
【０００８】
リモコン３の解錠スイッチが押されると、リモコン３からはＩＤを含んだ解錠信号が送信される。
解錠装置２に設けられた受信部がその解錠信号を受信すると、図２に示すように、呼び出しランプユニット４に内蔵されたマイコンはＳ１にて解錠信号を認識すると、Ｓ２でＩＤの照合を実行する。
ＩＤの照合によって正規の解錠信号であると認められると、Ｓ３にて解錠指令が送出され、続くＳ４にて呼び出しランプユニット４に組み込まれている解錠ランプ５が点灯される。
解錠装置は前記解錠指令に従って解錠操作を行い、ロックを解除する。
【０００９】
解錠動作はコンピュータ制御されているので、ロックの解除は確実に実行され、解錠ランプは解錠指令とほぼ同時に点灯するので、解錠ランプが点灯しているときはロックが解除されていると認識して間違いはない。
このようにロックが解除される場合は、必ず解錠ランプが点灯するので、実際に解錠されたことをセンサで検知して解錠ランプを点灯させたこれまでのように、検知されないように小細工して不正行為を行うことは未然に防止される。
【００１０】
又、センサを設ける必要がなくなるので、閉じた状態では隙間が一切生じない密閉構造にすることが可能となり、隙間から針金や薄板を差し込んで行われる不正防止の対策は万全となる。
【００１１】
解錠ランプの点灯は、解錠動作とほぼ同時であれば、解錠動作より前に実行させたり、解錠動作と同時に実行することもできるし、受信部を呼び出しランプユニットに組み込んだり、制御機器を解錠装置内に組み込むなど、適宜変更して差し支えない。
【００１２】
本発明の遊技機は、電動式の解錠装置を装備した全ての遊技機を対象にすることができ、解錠装置の形態は、モータで爪付きカムを回転させる以外に、例えばロックしている係止爪をワイヤで引っ張り操作したり、モータに変えてソレノイドを採用したり、解錠信号の送出元を、リモコンではなく管理室とするなど、適宜変更可能である。
【００１３】
尚、手持ちのリモコンから解錠信号を送出させるだけで解錠動作を完了できるので、解錠操作がはかどり、そのリモコンは、解錠専用のリモコンとすることもできる。
そして、前記実施例のように、リモコンから送出される解錠信号をダイレクトに受信して解錠動作をさせる方式であると、リモコンを隠し持って不正操作をされる虞れがあるので、呼び出しランプユニットに装備されているスイッチとの組み合わせにより、例えばリモコンの解錠スイッチにて呼び出しランプの解錠スイッチをスタンバイ状態にした後、呼び出しランプの解錠スイッチを操作しなければ正規の解錠信号が送信されない安全対策を講ずることが望ましい。
【図面の簡単な説明】
【００１４】
【図１】本発明に係る遊技機の説明図である。
【図２】解錠動作のフローチャート説明図である。
【符号の説明】
【００１５】
１・・パチスロ機、１ａ・・側縁部、２・・解錠装置、３・・リモコン、４・・呼び出しランプユニット、５・・解錠ランプ。
【図１】
2006006405.tif 000003
【図２】
2006006405.tif 000004